(57)【要約】      （修正有）【課題】汎用靴を用いて、自転車専用ビンディングシューズに匹敵する操作性と安全性が得られる装置を提供する。【解決手段】汎用靴を履いたまま装着する装置であって、靴底の土踏まずから、つま先部分に収まる大きさの平たい形状の物にビスを用いてクリートを固定出来るようにし、靴底のつま先付近からつま先を通り、靴上部の甲付近までかぶる形状を持たせた物と連結し、靴中央部の土踏まず付近と甲付近にベルト通しを設け、靴の土踏まず付近から甲を一周して締めつけて固定できるように一本の長さ調節可能なベルトを垂直に通し且つ、靴底部品の靴中央部寄りの側面から靴の踵を通って、反対側の同部に固定される長さ調節可能な締め付けベルトからなる。【選択図】図１
0003164285.tif 000002
【実用新案登録請求の範囲】
【請求項１】
自転車のビンディングペダルに、汎用靴使用のまま装着可能にする装置である。
【考案の詳細な説明】
【技術分野】
【０００１】
本考案は、汎用シューズ（スニーカ等を含む）を履いたまま、自転車のペダルにシューズを固定させ且つ、通常のビンディング専用シューズと同程度の着脱を可能にするものである。
【背景技術】
【０００２】
これまで、スポーツ用の自転車のペダルには、ビンディング装置の付いた専用の靴が必要であったが、この装置を使用することで、通常使用の靴を履いたまま、専用シューズに匹敵する操作性と、安全性が得られる。
【０００３】
ペダル側のビンディング装置に接合する部品（クリートと呼ばれている）は、現在自転車部品メーカーより市販されているものに適合する。
【０００４】
２ピース構造により、靴の大きさによる長さが調整可能である。
【０００５】
締め付けベルトは、バックル形式および、ベルクロ形式のものを使用し、着脱が容易且つ、確実に行えるものとする。
【考案の概要】
【考案が解決しようとする課題】
【０００６】
専用シューズ使用時の歩行の必要を迫られた時の不便さと、不適合を解決する。
【課題を解決するための手段】
【０００７】
本考案は、ビンディング本体と、使用している靴との脱着が容易なため、装着した場合は専用シューズの操作性を得ながら、歩行時においては、靴から本装置を外すことで、通常の快適で安全な歩行が得られる。
【考案の効果】
【０００８】
本考案のクリップ  ビンディングは、通常の靴の使用が可能なため、通勤用の靴を履いたまま専用シューズのようなビンディング効果が得られる。通勤時等に通勤用の靴を履いたまま、ビンディングペダル自転車の使用が可能になる。
【図面の簡単な説明】
【０００９】
【図１】図１は本装置の装着の仕方を示した説明図である。（実施例１）
【図２】図２は本装置基本構造の簡単な3面説明図である。（実施例２）
【図１】
0003164285.tif 000003
【図２】
0003164285.tif 000004
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
汎用靴の土踏まずよりつま先側先端部に装着し自転車用靴固定ペダルに的確に接合する靴先被せ型自転車用靴固定ペダル専用金具装着装置
【手続補正２】
【補正対象書類名】明細書
【補正対象項目名】全文
【補正方法】変更
【補正の内容】
【考案の詳細な説明】
【技術分野】
【０００１】  本考案は、汎用靴（スニーカ等を含む）を履いたまま、自転車のペダルに靴を固定させ且つ、通常の自転車用靴固定ペダル専用靴と同程度の性能を持たせる装置。
【背景技術】
【０００２】  これまで、スポーツ用の自転車のペダルには、自転車用靴固定装置の付いた専用の靴が必要であったが、この装置を使用することで、通常使用の靴を履いたまま、専用靴に匹敵する操作性と、安全性が得られる装置。【０００３】ペダル側の自転車用靴固定装置に接合する部品（金具）は、現在自転車部品メーカーより市販されているものに適合。【０００４】２ピース構造により、靴の大きさによる長さ調整が可能。【０００５】本装置の締め付けに要するベルトは、バックル形式あるいは、面ファスナー形式のものを使用し、着脱が容易且つ、確実に行える装置。
【考案の概要】
【考案が解決しようとする課題】
【０００６】  スポーツ自転車用専用靴使用時、歩行の必要に迫られた時の不便さと、不適合を解決。
【課題を解決するための手段】
【０００７】  本考案は、汎用靴の土踏まずよりつま先側先端部に装着し自転車用靴固定ペダルに的確に接合する靴先被せ型自転車用靴固定ペダル専用金具装着装置。
【考案の効果】
【０００８】  本考案の靴先被せ型自転車用靴固定ペダル専用金具装着装置は、通常の靴の使用が可能なため、通勤用の靴を履いたままスポーツ自転車用専用靴と同程度の効果が得られる。通勤時等に通勤用の靴を履いたまま、自転車用靴固定ペダル自転車の使用が可能。
【手続補正書】
【提出日】平成22年7月7日(2010.7.7)
【手続補正１】
【補正対象書類名】実用新案登録請求の範囲
【補正対象項目名】全文
【補正方法】変更
【補正の内容】
【実用新案登録請求の範囲】
【請求項１】
汎用靴を履いたまま装着する装置であって、靴底の土踏まずから、つま先部分に収まる大きさの平たい形状の物にビスを用いてクリート（自転車専用ビンディングペダルに連結するための市販の専用部品）を固定出来るようにし、靴底のつま先付近からつま先を通り、靴上部の甲付近までかぶる形状を持たせた物と連結し、靴中央部の土踏まず付近と甲付近にベルト通しを設け、靴の土踏まず付近から甲を一周して締めつけて固定できるように一本の長さ調節可能なベルトを垂直に通し且つ、靴底部品の靴中央部寄りの側面から靴の踵を通って、反対側の同部に固定される長さ調節可能な締め付けベルトからなる装置。
【手続補正２】
【補正対象書類名】明細書
【補正対象項目名】全文
【補正方法】変更
【補正の内容】
【考案の詳細な説明】
【技術分野】
【０００１】
本考案は、汎用靴（スニーカ等を含む）を用いて、自転車専用ビンディングペダルに靴を固定させ且つ、通常のスポーツ自転車専用ビンディングシューズと同程度の機能を持たせる装置。
【背景技術】
【０００２】
これまで、スポーツ用の自転車のビンディングペダルには、自転車用靴固定装置の付いた専用のビンディングシューズが必要であったが、この装置を使用することで、通常使用の靴を用いて、自転車専用ビンディングシューズに匹敵する操作性と、安全性が得られる装置。
【０００３】
ビンディングペダルに連結する部品クリートは、現在自転車部品メーカーより市販されているものが使用可能。
【０００４】
２ピース構造により、靴の大きさにより長さ調整が可能。
【０００５】
本装置の締め付けに要するベルトは、バックル形式あるいは、面ファスナー形式のものを使用し、着脱が容易且つ、確実に行える装置。
【考案の概要】
【考案が解決しようとする課題】
【０００６】
スポーツ自転車用専用靴使用時、歩行の必要に迫られた時の不便さと、不適合を解決。
【課題を解決するための手段】
【０００７】
本装置の底面には、自転車専用ビンディングペダルに自転車専用ビンディングシューズを連結させるための靴底側の部品クリートをビスで固定できるようにし、通常の靴のつま先側に被せるような状態で備え付けの締め付け具で靴に装着固定、本装置にクリートを所定の位置に取り付け、通常の靴のつま先側に被せて装着し、備え付けの締め付け具で靴に固定することにより、スポーツ自転車専用ビンディングシューズの機能と同等の機能を得られる装置。
【考案の効果】
【０００８】
本考案の靴先被せ型自転車用ビンディングペダル用クリート装着装置は、通常の靴の使用が可能なため、通勤用の靴を履いたままスポーツ自転車用専用靴と同程度の効果が得られ、通勤時等に通勤用の靴を履いたまま、自転車用ビンディングペダル装着の自転車使用が可能。
【図面の簡単な説明】
【０００９】
【図１】図１は本装置の装着の仕方を示した説明図である。（実施例１）
【図２】図２は本装置基本構造の簡単な3面説明図である。（実施例２）